(57)【要約】【課題】  施錠機能を有し、しかも施錠操作が簡単で容易なクレセント錠を提供する。【解決手段】  ハンドル軸４に係止アーム５を垂設し、この係止アーム５の施錠角度位置における先端部を挟む一方の側に固定の衝止部６を、他方の側に施錠スライダ７の先端を夫々配設し、この施錠スライダ７を、その先端が衝止部との間に係止アームの先端を挟む施錠位置、及び係止アームの先端の回動軌跡外の解錠位置との間を移動可能に案内すると共に、下方に付勢し、一方、施錠スライダ７の下端部付近に、これと重合する態様で、かつ揺動可能に制御レバー１１を配設し、この制御レバー１１の一端部付近に外周部に切欠１５を形成したダイアル１４を回動可能に設けると共に、制御レバーをその一端がダイアルの外周に近接する方向に付勢し、他方、制御レバーの他端部と施錠スライダり下端部とを遊動可能に係合させる。【選択図】  図２
2006152784.tif 000002
【特許請求の範囲】
【請求項１】
引戸の一方の框に装着される薄い箱状の台座と、この台座の表面側にハンドルと同軸に回動自在に支承され、外周に形成された円弧状の環堤部を、引き違いとなる相手方の框の係止片に係合させるようにした錠止盤とを有するものにおいて、ハンドル軸の台座内における内端に係止アームを垂設し、この係止アームの施錠角度位置における先端部を挟む一方の側に固定の衝止部を、他方の側に施錠スライダの先端を夫々配設し、この施錠スライダを、その先端が衝止部との間に係止アームの先端を挟む施錠位置、及び係止アームの先端の回動軌跡外の解錠位置との間を移動可能に案内すると共に、施錠位置方向に付勢し、一方、施錠スライダの基端部付近に、これと重合する態様で、かつ揺動可能に制御レバーを配設し、この制御レバーの一端部付近に外周部に切欠を形成したダイアルを回動可能に設けると共に、制御レバーをその一端がダイアルの外周に近接する方向に付勢し、他方、施錠スライダの基端部及び制御レバーの他端部の一方に係合突起を、他方に施錠スライダの案内方向に長い係合孔を夫々形成し、これらを遊動可能に係合させ、また、制御レバーの付勢力を施錠スライダのそれよりも大きくなるように設定したことを特徴とするクレセント錠。
【請求項２】
引戸の一方の框に装着される薄い箱状の台座と、この台座の表面側にハンドルと同軸に回動自在に支承され、外周に形成された円弧状の環堤部を、引き違いとなる相手方の框の係止片に係合させるようにした錠止盤とを有するものにおいて、ハンドル軸の台座内における内端に係止アームを垂設し、この係止アームの施錠角度位置における先端部付近に施錠レバーの基端を回動可能に支承し、その自由端を係止アームの先端と衝接可能に対峙する施錠角度位置、及び係止アームの移動軌跡から退避する解錠角度位置の間を揺動できるように案内すると共に、施錠角度位置方向に付勢し、一方、台座の一端部に、外周部に切欠を形成したダイアルを回動可能に配設し、他方、このダイアルと施錠レバーとの間に延在し、長さ方向に移動可能に案内された制御バーの一端をダイアルの外周部に近接する方向に付勢すると共に、他端を施錠レバーの自由端部に係合させ、ダイアルの切欠に制御バーの一端が係入したとき、制御バーの他端が施錠レバーの自由端を解錠角度位置にまで回動させるようにしたことを特徴とするクレセント錠。
【発明の詳細な説明】
【技術分野】
【０００１】
この発明は、クレセント錠に係り、特に、施錠機能を有し、しかも施錠操作が簡単で容易なクレセント錠に関する。
【背景技術】
【０００２】
クレセント錠は、通常、引戸と別の引戸の召し合せ部分又は引戸と固定部材の召し合せ部分に取り付けられるものであって、引戸又は固定部材に取り付けられ、先端に折返えし係止部を有する係止片と、引戸又は固定部材に取り付けられる台座と、台座に対し水平軸の回りを回動可能に枢支されたハンドルと、ハンドルに装着され、外周に円弧状の環堤部を形成した錠止盤とを有してなる。
【０００３】
上記したように、クレセント錠は相互に引き違いとなる引戸の召し合わせ部に装着される一種の掛金装置であって、通常施錠機能を有していないが、例えばハンドルと同軸に設けられた部材を操作することにより錠止盤をロックするクレセント錠は周知である。
【０００４】
また、クレセント錠の安全性を高めるため、後記の特許文献１に記載されたクレセント錠は、それ自体に錠前を組込んでいる。
【特許文献１】特開２００１−０４９９２１
【発明の開示】
【発明が解決しようとする課題】
【０００５】
しかしながら、上記特許文献１に記載されたクレセント錠は、錠前を施解錠操作する合鍵を必要とし、その合鍵の保管や取り出しが少しく面倒である。
【０００６】
また、施錠、解錠操作とハンドル操作とを別個に行うため施解錠操作も簡単、容易であるとは言い切れない、等未だ改良の余地がある。
【０００７】
そこで、この発明は、施錠機能を有しながら合鍵を必要とせず、しかも、施解錠操作が簡単かつ容易であるクレセント錠を提供することを目的としている。
【課題を解決するための手段】
【０００８】
上記の目的を達成するため、請求項１に記載の発明は、引戸の一方の框に装着される薄い箱状の台座と、この台座の表面側にハンドルと同軸に回動自在に支承され、外周に形成された円弧状の環堤部を、引き違いとなる相手方の框の係止片に係合させるようにした錠止盤とを有するものにおいて、ハンドル軸の台座内における内端に係止アームを垂設し、この係止アームの施錠角度位置における先端部を挟む一方の側に固定の衝止部を、他方の側に施錠スライダの先端を夫々配設し、この施錠スライダを、その先端が衝止部との間に係止アームの先端を挟む施錠位置、及び係止アームの先端の回動軌跡外の解錠位置との間を移動可能に案内すると共に、施錠位置方向に付勢し、一方、施錠スライダの基端部付近に、これと重合する態様で、かつ揺動可能に制御レバーを配設し、この制御レバーの一端部付近に外周部に切欠を形成したダイアルを回動可能に設けると共に、制御レバーをその一端がダイアルの外周に近接する方向に付勢し、他方、施錠スライダの基端部及び制御レバーの他端部の一方に係合突起を、他方に施錠スライダの案内方向に長い係合孔を夫々形成し、これらを遊動可能に係合させ、また、制御レバーの付勢力を施錠スライダのそれよりも大きくなるように設定したことを特徴とする。
【０００９】
また、請求項２に記載の発明は、引戸の一方の框に装着される薄い箱状の台座と、この台座の表面側にハンドルと同軸に回動自在に支承され、外周に形成された円弧状の環堤部を、引き違いとなる相手方の框の係止片に係合させるようにした錠止盤とを有するものにおいて、ハンドル軸の台座内における内端に係止アームを垂設し、この係止アームの施錠角度位置における先端部付近に施錠レバーの基端を回動可能に支承し、その自由端を係止アームの先端と衝接可能に対峙する施錠角度位置、及び係止アームの移動軌跡から退避する解錠角度位置の間を揺動できるように案内すると共に、施錠角度位置方向に付勢し、一方、台座の一端部に、外周部に切欠を形成したダイアルを回動可能に配設し、他方、このダイアルと施錠レバーとの間に延在し、長さ方向に移動可能に案内された制御バーの一端をダイアルの外周部に近接する方向に付勢すると共に、他端を施錠レバーの自由端部に係合させ、ダイアルの切欠に制御バーの一端が係入したとき、制御バーの他端が施錠レバーの自由端を解錠角度位置にまで回動させるようにしたことを特徴とする。
【発明の効果】
【００１０】
上記のように構成された請求項１及び２に記載の発明によるクレセント錠は、ダイアルを回してその切欠と制御レバーの一端とを係合させ、或いは係合を解除することにより制御レバーの他端を介して施錠スライダを動かし、その先端を施錠位置と解錠位置に選択的に設定できるので、クレセント錠に錠前を組込むことができる。
【００１１】
また、請求項１に記載の発明は、クレセント錠の円弧状の環堤部と相手方の框の係止片が係合していない状態で、換言すれば掛金装置としてのクレセント錠がロックしていない状態でダイアルの切欠と制御レバーの一端との係合を外し、すなわちダイアルを施錠角度位置に設定し、この状態でハンドルを回してクレセント錠をロックすると、係止アームの先端が施錠位置にある施錠スライダの先端を押動して一旦解錠位置に置き、係止アームの先端が施錠位置に迄移動すると施錠スライダの先端を解放して、その付勢力により施錠スライダの先端を施錠位置に復帰させるので、ハンドルの操作だけで施錠ができる、すなわち所謂自動施錠が可能になる。
【００１２】
更にまた、請求項２に記載の発明は、制御バーの僅かな動きで施錠レバーを駆動できるので、作動が確実であるばかりか、請求項１に記載の発明と同様に、僅かな構成の付加により所謂自動施錠が可能になる。
【００１３】
また、請求項１、２に記載の発明は、ハンドルの自由端でダイアルを覆うことができるので、例えば室外側から窓ガラスを割って室内に手を差し入れる場合にはダイアルの操作が困難であり、その分防犯性能が向上する。
【００１４】
加えて、ダイアルを回すだけで施解錠操作が可能なので、所謂合鍵に相当するものを不要とし、したがって合鍵の保管や取り出し等が不要となり、また施解錠操作も簡単になる、等種々の効果を奏する。
【発明を実施するための最良の形態】
【００１５】
ダイアルの切欠と制御レバーの一端との係脱により制御レバーを揺動させ、施錠スライダを動かして施解錠し、更に、施錠スライダを制御レバーの他端に対し相対的に遊動できるように係合させたので、所謂自動施錠が可能になった。
【実施例１】
【００１６】
以下、この発明の実施例を図面を参照して説明する。
なお、この実施例１においては、請求項１に記載の発明の一実施例について説明する。
【００１７】
図１において符号１は縦に細長くて薄い台座を示し、この台座１の表面側に錠止盤２と、この錠止盤２に同軸かつ一体的に結合されたハンドル３とが回動可能に支障されている。
【００１８】
上記錠止盤２は、螺旋状の係合端縁を形成した環堤部が一体に形成されており、この環堤部を引き違いとなる相手方の框の係止片に係合させることは他のクレセント錠と同様である。
【００１９】
上記ハンドル３に一体的に結合されたハンドル軸４（図２参照）の台座１内における内端に、係止アーム５が垂設されている。ここで垂設とは、ハンドル軸４の半径方向に延在する係止アームがハンドル軸と一体的に結合されている、という意味である。
【００２０】
図２に示す係止アーム５は時計盤面に換算して１２時の角度位置にあり、この角度位置を施錠角度位置とする。
【００２１】
施錠角度位置にある係止アーム５の先端を挟むようにして、台座１内に固定された衝止部６と、係止アーム５の先端に関して衝止部６の反対側に施錠スライダ７の先端（上端）が夫々配設されている。
【００２２】
上記施錠スライダ７は、台座１の一方の側面に沿って、その先端が衝止部６との間に係止アーム５の先端を挟む施錠位置（図２に示す位置）、及び図２の位置より上昇して図３に示す位置、すなわち、係止アーム５の先端の回動軌跡外の解錠位置、との間を移動可能に案内されている。
【００２３】
また、施錠スライダ７は、圧縮コイルばねとしてのスライダばね８の弾力により、下方、すなわち施錠方向に付勢されている。
【００２４】
なお、図示の実施例では、ハンドルを例えば１８０度回して施解錠するものとし、係止アーム５が時計盤面に換算して６時の角度位置を解錠角度位置としている。
【００２５】
そして、台座１の内側のほぼ中央と係止アーム５の一部との間に弾装された引張りコイルばねとしてのアームばね９が思案ばねとして機能し、ハンドルの回動にクリック感を付与しているが、このアームばね９はこの発明の必須の構成ではない。
【００２６】
一方、施錠スライダ７の基端部（下端部）付近に、これと一部重合する態様で、ほぼ水平な制御レバー１１が配設されており、この制御レバー１１は、そのほぼ中央部をレバー軸１２によって揺動可能に支承されている。
【００２７】
また、この制御レバー１１は、他端部に弾装された圧縮コイルばねとしてのレバーばね１３の弾力により、制御レバー１１の一端（図２及び図３で左端）が後述するダイアル１４の外周に近接する方向に付勢されている。
【００２８】
なお、このレバーばね１３の弾力は、前記スライダばね８の弾力よりも大きくなるように設定するものとする。
【００２９】
他方、上記制御レバー１１の一端部付近に、外周部の１ヵ所に切欠１５（図２参照）を形成したダイアル１４が回動可能に設けられている。
【００３０】
図示の実施例では、ダイアル１４は操作環１４ａと、多角形の断部を有し、選択された角度位置に上記切欠１３を形成した本体板１４ｂとを厚さ方向に重合して結合したもので、外周に例えばローレットを形成した操作環１４ａの一部は、例えば台座１の側面下方に露出しており（図４参照）、外部からダイアル１４を回動させることができるように構成されている。
【００３１】
また、図４に示すように、操作環１４ａの外周面には一定の角度間隔を保って算用数字等の符号が標記されており、暗証番号として選択された符号を台座の側面開口の例えば中央に整合させることにより、上記切欠１５と制御レバーの一端が整合するように両者の角度間隔が設定されている。
【００３２】
ダイアル１４は上記のように構成されているので、操作環１４ａに標記された符号の数の鍵違いが得られ、このようにしてこの発明によるクレセント錠は、ダイアル錠としての錠前を組込んでおり、後述するように施錠機能を具備している。
【００３３】
なお、図示の実施例では、本体板１４ｂの多角形の段部に線接触するクリックばね１６が弾接するように配設されており、このクリックばね１６により、ダイアル１４の回動にクリック感が付与されている。
【００３４】
一方、図２及び図３に示すように、制御レバー１１の他端部に係合突起１７が突設されており、この係合突起１７は、施錠スライダ７の下端部に開口した縦長の係合孔１８に遊動可能に係合している。
【００３５】
前記したように、制御レバー１１の他端部を上方に押上げるレバーばね１３の弾力を、施錠スライダ７を下方に付勢するスライダばね８の弾力より大きくなるように設定したから、施錠スライダ７に外力が作用しない常態においては、係合突起１７は係合孔１８の上方の開口端縁に当接する。
【００３６】
上記のように構成されたこの発明の一実施例によるクレセント錠は、施錠状態においては、図２に示すように、制御レバー１１の一端が本体板１４ｂの切欠１５が形成されていない外周部に乗り上がっており、したがって制御レバー１１の他端部は相対的に下降した位置にある。
【００３７】
そのため、施錠スライダ７は制御レバーの他端部に追従して図２に示す施錠位置、すなわち、前記衝止部６との間に係止アーム５の先端を挟む位置にある。
【００３８】
このときには、図２から明らかなように、ハンドル３（図１参照）を時計方向或いは反時計方向に回しても、これと一体の係止アームの先端が衝止部６或いは施錠スライダ７の先端に衝止されるから、ハンドルを回すことができず、したがってこのクレセント錠を解錠することができない。
【００３９】
クレセント錠を解錠するためダイアルの操作環１４ａを回し、所定の角度位置に形成された切欠と制御レバー１１の一端とを整合させると、レバーばね１３の弾力により制御レバーの一端が切欠１５に落込み、図３に示すように、制御レバーの他端が施錠スライダ７を押上げて、その先端を係止アームの回動軌跡外の上方に変位させる。
【００４０】
したがって、図２に示す施錠角度位置にある係止アーム５の先端は施錠スライダ７の先端部と干渉すること無く図３に示す解錠角度位置に迄回動させることができる。換言すれば、このクレセント錠は解錠状態となる。
【００４１】
一方、施錠スライダ７が図２に示すように施錠状態にあり、係止アーム５が図３に示すように解錠角度位置にあるときハンドルを施錠方向に回すと、係止アーム５の先端が施錠スライダ７の先端に形成された円弧状の逃げ端縁１７ａ（図２参照）に当接してこれを押上げる（図示せず）。
【００４２】
前記した構成により施錠スライダ７は制御レバー１１の他端に対し相対的に上方に遊動できるから、更にハンドルを施錠方向に回すと、係止アーム５の先端は図２に示す施錠角度位置にまで回動でき、図２に示す施錠角度位置に致ると、係止アーム５と上記逃げ端縁１７ａとの係合が外れ、施錠スライダ７はスライダばね８の弾力により図２に示す位置に復帰する。すなわち、自動施錠が行われる。
【実施例２】
【００４３】
前記した実施例では、制御レバー１１の他端に係合突起１７を形成し、施錠スライダ７側に縦長の係合孔１８を形成するものとしたが、これは形成位置を逆にし、制御レバーの他端に係合孔１８を、施錠スライダ７側に係合突起を形成しても良いことは勿論である。
【実施例３】
【００４４】
図５乃至図１１は請求項２に記載の発明の一実施例によるクレセント錠を示し、このクレセント錠は、図５乃至図７に示すように、縦長の薄い箱状の台座１を有することは前記した請求項１に記載の発明によるクレセント錠と同様である。
【００４５】
このクレセント錠の台座１の上端にはダイアル１４が回動可能に設けられている。
【００４６】
このダイアル１４は、図８に示すように外形が例えば略八角形の板状体であり、外形が円形で、外周縁の所定の角度位置に切欠１５を形成した本体板１４ｂと重合した状態で、一体的かつ同軸に結合されている。
【００４７】
なお、図示の実施例におけるダイアル１４は、図９及び図１０に示すように、リング状の操作環１４ａ（図７参照）と同軸に、かつ相対角度位置を変化できるように連結されている。
【００４８】
例えば、図９に示すようにねじカバー１９（図７参照）を取り外した状態で、図１０に示すように操作環１４ａを持上げてダイアル１４と切り離し、操作環１４ａを正面から見て時計方向、或いは反時計方向に４５度の倍数角度回し、再び操作環１４ａとダイアル１４とを連結することによりダイアル錠としての暗証番号を変更できる。
【００４９】
なお、ダイアル１４と操作環１４ａとの連結の態様は周知であるから、更に詳細な説明は省略する。なお、図８において符号１６はクリックばねを示す。
【００５０】
図５乃至図７に戻って、台座１の表面側の中央部にはハンドル３と一体的に連結された錠止盤２が回動可能に設けられていることも前記した請求項１に記載の発明によるクレセント錠と同様である。
【００５１】
そして、図８に示すように、ハンドル軸４の台座内における内端に係止アーム５が垂設されている。なお、ここで係止アーム５がハンドル軸４に垂設されている、という意味は、係止アーム５がハンドル軸４の半径方向に延伸している、ということと同義である。
【００５２】
一方、この係止アーム５の施錠角度位置（図８参照）における先端部付近には、紙面に対する投影形状が略直角三角形の施錠レバー２１が配設されており、この施錠レバー２１の直角を形成する基端を台座１に回動可能に支承されている。
【００５３】
この施錠レバー２１は例えば紙面方向の寸法が大きい略三角柱状のブロック体で、手前側には後述する制御バーと係合する付番しない円形部が形成され、その円形部の向う側には、上記係止アーム５の先端と衝接する自由端２２が一体に形成されている。
【００５４】
そして、この自由端２２は、係止アーム５の先端と衝接可能に対峙する施錠角度位置（図８参照）、及び係止アーム５の移動軌跡から退避する解錠角度位置（図１１参照）の間を揺動できるように案内されている。
【００５５】
また、施錠レバー２１は、捩りコイルばねとしての施錠レバーばね２３（図１１参照）の弾力により、図で時計方向（施錠角度位置方向）に付勢されている。
【００５６】
更にまた、図１１に示すように、施錠レバーの上記自由端２２に連接して、施錠レバーの紙面方向向う側には、円弧状の内周面を有する逃げ切欠２４が形成されており、図１１に示す解錠状態では、ハンドルと一体の係止アーム５の先端はこの逃げ切欠２４を通って反時計方向に回動できる。
【００５７】
他方、図８に示すように、ダイアル１４と施錠レバー２１との間には全体の形状が略Ｌ字形の制御バー２５が延在している。
【００５８】
この制御バー２５は長さ方向、すなわち図で上下方向に移動可能に案内されており、圧縮コイルばねとしての制御バーばね２６の弾力により上方に、すなわち、その上端（一端）がダイアル（本体盤１４ｂ）の外周部に近接する方向に付勢されている。
【００５９】
また、制御バー２５の他端（下端）は略コ字形に成形され、このコ字形部が上記施錠レバー２１の円形部と遊動可能に係合している。
【００６０】
そのため、図８に示すように、制御バー２５が下降しているときには施錠レバー２１は反時計方向に少し遊動できる。
【００６１】
上記のように構成された請求項２に記載の発明の一実施例によるクレセント錠は、図８に示す施錠状態では制御バー２５の上端が本体板１４ａの切欠が形成されていない外周縁に弾接しており、したがって制御バー２５は下降している。
【００６２】
このときには、施錠レバー２１は図８に示す施錠角度位置にあり、その自由端２２と基端を結ぶ線はほぼ水平で、この状態でハンドルを解錠方向に、すなわち図８で時計方向に回すと、係止アーム５の先端が施錠レバー２１に衝止され、ハンドルを回すことができない。
【００６３】
一方、操作環１４ａを回して番号合せをし、本体板の切欠１５を時計盤面に換算して６時の角度位置に合せると（図１１参照）、制御バー２５がその付勢力によって上昇し、これに連動して施錠レバー２１が反時計方向に少し回動し、その自由端２２が係止アームの先端部の移動軌跡外に退避するので、ハンドルを回してクレセント錠をロックすることができる。
【００６４】
なお、請求項２に記載の発明も、前記請求項１に記載の発明と同様に、クレセント錠の円弧状の環堤部と相手方の框の係止片が係合していない状態で、換言すれば掛金装置としてのクレセント錠がロックしていない状態でダイアルの切欠と制御バーの一端との係合を外し、すなわちダイアルを施錠角度位置に設定し、この状態でハンドルを回してクレセント錠をロックすると、係止アームの先端が施錠位置にある施錠レバー逃げ切欠２４の内周面を押動して一旦解錠位置に置き、係止アームの先端が施錠位置に迄移動すると施錠レバーの先端を解放して、その付勢力により施錠スライダの先端を施錠位置に復帰させるので、ハンドルの操作だけで施錠ができる、すなわち所謂自動施錠が可能になる。
【図面の簡単な説明】
【００６５】
【図１】請求項１に記載の発明の一実施例によるクレセント錠の一部を破断して示す正面図。
【図２】その背面図で、施錠状態を示す。
【図３】その背面図で、解錠状態を示す。
【図４】請求項１に記載の発明の一実施例によるクレセント錠の一部側面図。
【図５】請求項２に記載の発明の一実施例によるクレセント錠の平面図。
【図６】その正面図。
【図７】その側面図。
【図８】その背面図で、施錠状態を示す。
【図９】ダイアル部の断面図。
【図１０】ダイアル部の断面図で、番号を変換している状態を示す。
【図１１】請求項２に記載の発明の一実施例によるクレセント錠の背面図で、解錠状態を示す。
【符号の説明】
【００６６】
１  台座
２  錠止盤
３  ハンドル
４  ハンドル軸
５  係止アーム
６  衝止部
７  施錠スライダ
８  スライダばね
９  アームばね
１１  制御レバー
１２  レバー軸
１３  レバーばね
１４  ダイアル
１５  切欠
１６  クリックばね
１７  係合突起
１８  係合孔
１９  ねじカバー
２１  施錠レバー
２２  自由端
２３  施錠レバーばね
２４  逃げ切欠
２５  制御バー
２６  制御バーばね
【図１】
2006152784.tif 000003
【図２】
2006152784.tif 000004
【図３】
2006152784.tif 000005
【図４】
2006152784.tif 000006
【図５】
2006152784.tif 000007
【図６】
2006152784.tif 000008
【図７】
2006152784.tif 000009
【図８】
2006152784.tif 000010
【図９】
2006152784.tif 000011
【図１０】
2006152784.tif 000012
【図１１】
2006152784.tif 000013